(57)【要約】【課題】  自重による撓みが生じにくい構造のソーラーシステム用フレネルレンズを提供し、受光エリアの大きなソーラーシステムを好適に構成できるようにする。【解決手段】  光軸Ａに対して斜めに延びた基準面１０に沿って多数のプリズム部１１，１２が並べられて全体として一つのレンズ作用を為す。多数のプリズム部１１，１２は階段状を成しており、各プリズム部１１，１２は、太陽光が光軸Ａに平行に進んで入射する入射面２と、出射側に突出しているプリズム面とからなり、プリズム面は、光軸Ａから遠い側の第一の面３と近い側の第二の面４とから成る。【選択図】  図１
2010282032.tif 000002
【特許請求の範囲】
【請求項１】
光軸に対して太陽光が平行に入射する姿勢で配置されるソーラーシステム用フレネルレンズであって、多数のプリズム部が基準面に沿って並べられた構造を有しているとともに、多数のプリズム部が全体として一つのレンズ作用を為すよう設けられており、
基準面は、光軸に対して斜めに延びた面となっており、
多数のプリズム部は、基準面に沿って階段状を成していることを特徴とするソーラーシステム用フレネルレンズ。
【請求項２】
前記基準面は、太陽光の入射側に凸である凸面であることを特徴とする請求項１記載のソーラーシステム用フレネルレンズ。
【請求項３】
前記基準面は、太陽光の入射側に凸である半球面であることを特徴とする請求項２記載のソーラーシステム用フレネルレンズ。
【請求項４】
前記多数のプリズム部の各々の入射面は、集光レンズ面となっていることを特徴とする請求項１乃至３いずれかに記載のソーラーシステム用フレネルレンズ。
【請求項５】
前記多数のプリズム部の各々は、前記集光レンズ面である入射面で集光された光を平行光に戻すコリメータ部を有していることを特徴とする請求項４記載のソーラーシステム用フレネルレンズ。
【請求項６】
前記多数のプリズム部の各々は、前記入射面とは反対側で突出しているプリズム面を有しており、プリズム面は、光軸から遠い側の第一の面と、光軸に近い側の第二の面とから成っており、前記コリメータ部は、第一の面に形成されていることを特徴とする請求項５記載のソーラーシステム用フレネルレンズ。
【請求項７】
前記多数のプリズム部の各々は、前記入射面とは反対側で突出しているプリズム面を有しており、プリズム面は、光軸から遠い側の第一の面と、光軸に近い側の第二の面とから成っており、
前記多数のプリズム部の各々は、光軸に近い側の第一の群のプリズム部と、光軸から遠い側の第二の群のプリズム部とから成っており、
第一の群のプリズム部では、前記入射面から入射した光が第一の面で屈折しながら出射して前記レンズ作用を為すよう第一の面が形成されており、
第二の群のプリズム部では、前記入射面から出射した光が第一の面で全反射した後、第二の面で屈折しながら出射して前記レンズ作用を為すよう第一及び第二の面が形成されていることを特徴とする請求項１乃至６いずれかに記載のソーラーシステム用フレネルレンズ。
【請求項８】
前記複数のプリズム部の各々は、前記入射面が一方の側に徐々に低くなる斜面となっていることを特徴とする請求項１乃至７いずれかに記載のソーラーシステム用フレネルレンズ。
【請求項９】
前記複数のプリズム部の各々は、各プリズム部が並んだ方向の幅であるピッチ幅を有しており、光軸から遠い側のプリズム部は、光軸に近い側のプリズム部に比べてピッチ幅が短いことを特徴とする請求項１乃至８いずれかに記載のソーラーシステム用フレネルレンズ。
【請求項１０】
請求項１乃至９いずれかに記載のフレネルレンズを備えており、フレネルレンズにより太陽光を集光して利用するものであることを特徴とするソーラーシステム。
【発明の詳細な説明】
【技術分野】
【０００１】
本願の発明は、ソーラーシステム用フレネルレンズ及びこのフレネルレンズを備えたソーラーシステムに関するものである。
【背景技術】
【０００２】
地球温暖化防止等を背景として、太陽光エネルギーの利用が盛んに検討されており、太陽光発電の分野では、住宅用を始めとして普及が進んでいる。太陽光を利用する場合、そのまま利用する場合もあるが、光を集光したり屈折させたりしながら利用する場合もある。例えば、太陽光エネルギーにより試料を加熱するシステムでは太陽光を大規模に集光して加熱温度を１８００〜２５００℃程度にすることが検討されている。このような太陽光を利用する装置一般を、本明細書ではソーラーシステムと呼ぶ。
【先行技術文献】
【特許文献】
【０００３】
【特許文献１】特開平４−１２７１０１号公報
【発明の開示】
【発明が解決しようとする課題】
【０００４】
太陽光を集光したり屈折させたりしながら利用するソーラーシステムでは、多くの場合、フレネルレンズを用いることが検討されている。特に、太陽光を大きなエリアで受光して集光する大規模ソーラーシステムでは、フレネルレンズ以外のレンズを使用することは現実的に不可能であると考えられる。
フレネルレンズは、通常のレンズを多数のプリズム状のセグメントに分割し、セグメントを平面上に並べることでシート状又はプレート状に変換した光学部品である。したがって、フレネルレンズは、プリズム部を同一平面上に多数並べて設けたものとなっている。
【０００５】
フレネルレンズを使用したソーラーシステムでは、フレネルレンズを太陽光の入射方向に対して垂直に配置し、レンズ作用を生じさせる。
このようなソーラーシステムでは、より大きなエリアで光を集めて集光点でのエネルギー密度を高めるため、より大面積のフレネルレンズを使用することが好ましい。しかしながら、フレネルレンズが限度以上に大面積化すると、自重により撓んでしまう問題がある。撓みにより、必要な光学特性が得られなくなる問題に加え、破損も生じやすくなり、システムの信頼性の点で問題となる。
【０００６】
複数のフレネルレンズを同一平面上に並べて配置し、それらフレネルレンズ全体で一つのレンズ作用を生じさせるようにすれば、個々のフレネルレンズをそれほど大きくすることなく受光エリアを大きくして集光点のエネルギー密度を高くすることが可能である。しかしながら、複数のフレネルレンズを保持する枠が必要であり、枠の部分での光のロスが大きくなる欠点がある。
本願の発明は、上記課題を解決するために為されたものであり、自重による撓みが生じにくい構造のソーラーシステム用フレネルレンズを提供し、受光エリアの大きなソーラーシステムを好適に構成できるようにする技術的意義を有するものである。
【課題を解決するための手段】
【０００７】
上記課題を解決するため、本願の請求項１記載の発明は、光軸に対して太陽光が平行に入射する姿勢で配置されるソーラーシステム用フレネルレンズであって、多数のプリズム部が基準面に沿って並べられた構造を有しているとともに、多数のプリズム部が全体として一つのレンズ作用を為すよう設けられており、
基準面は、光軸に斜めに延びた面となっており、
多数のプリズム部は、基準面に沿って階段状を成しているという構成を有する。
また、上記課題を解決するため、請求項２記載の発明は、前記請求項１の構成において、前記基準面は、太陽光の入射側に凸である凸面であるという構成を有する。
また、上記課題を解決するため、請求項３記載の発明は、前記請求項２の構成において、前記基準面は、太陽光の入射側に凸である半球面であるという構成を有する。
また、上記課題を解決するため、請求項４記載の発明は、前記請求項１乃至３いずれかの構成において、前記多数のプリズム部の各々の入射面は、集光レンズ面となっているという構成を有する。
また、上記課題を解決するため、請求項５記載の発明は、前記請求項４の構成において、前記多数のプリズム部の各々は、前記集光レンズ面である入射面で集光された光を平行光に戻すコリメータ部を有しているという構成を有する。
また、上記課題を解決するため、請求項６記載の発明は、前記請求項５の構成において、記多数のプリズム部の各々は、前記入射面とは反対側で突出しているプリズム面を有しており、プリズム面は、光軸から遠い側の第一の面と、光軸に近い側の第二の面とから成っており、前記コリメータ部は、第一の面に形成されているという構成を有する。
また、上記課題を解決するため、請求項７記載の発明は、前記請求項１乃至６いずれかの構成において、前記多数のプリズム部の各々は、前記入射面とは反対側で突出しているプリズム面を有しており、プリズム面は、光軸から遠い側の第一の面と、光軸に近い側の第二の面とから成っており、
前記多数のプリズム部の各々は、光軸に近い側の第一の群のプリズム部と、光軸から遠い側の第二の群のプリズム部とから成っており、
第一の群のプリズム部では、前記入射面から入射した光が第一の面で屈折しながら出射して前記レンズ作用を為すよう第一の面が形成されており、
第二の群のプリズム部では、前記入射面から出射した光が第一の面で全反射した後、第二の面で屈折しながら出射して前記レンズ作用を為すよう第一及び第二の面が形成されているという構成を有する。
また、上記課題を解決するため、請求項８記載の発明は、前記請求項１乃至７いずれかの構成において、前記複数のプリズム部の各々は、前記入射面が一方の側に徐々に低くなる斜面となっているという構成を有する。
また、上記課題を解決するため、請求項９記載の発明は、前記請求項１乃至８いずれかの構成において、前記複数のプリズム部の各々は、各プリズム部が並んだ方向の幅であるピッチ幅を有しており、光軸から遠い側のプリズム部は、光軸に近い側のプリズム部に比べてピッチ幅が短いという構成を有する。
また、上記課題を解決するため、請求項１０記載の発明は、請求項１乃至９いずれかに記載のフレネルレンズを備えており、フレネルレンズにより太陽光を集光して利用するものであるという構成を有する。
【発明の効果】
【０００８】
以下に説明する通り、本願の請求項１記載の発明によれば、大きな受光エリアを得るために大型化させても撓みの問題が少ない。このため、製品としての信頼性が高く、またロスの少ないフレネルレンズとなる。
また、請求項２又は３記載の発明によれば、上記効果に加え、自重により撓もうとする力と形状自体からくる内部応力が相殺した状態となるので、より撓みが少なくなる。
また、請求項４記載の発明によれば、上記効果に加え、各入射面が集光レンズ面となっているので、ドラフト角を付与したり頂角を鈍化させたりすることが可能となる他、各入射面に汚れが付着しにくくなるので、ロスも少なくなるという効果が得られる。
また、請求項５又は６記載の発明によれば、上記効果に加え、各プリズム部がコリメータ面を有しているので、各入射面の曲率を自由に定めることができ、より狭く光を絞ることで上記効果をより高く得るようにすることができる。
また、請求項７記載の発明によれば、上記効果に加え、多数のプリズム部が屈折系と全反射系とから成るので、より大きな受光エリアを確保しつつより短い焦点距離のフレネルレンズとすることが可能となる。
また、請求項８記載の発明によれば、上記効果に加え、各入射面に汚れが付着しにくくなるので、ロスも少なくなるという効果が得られる。
また、請求項９記載の発明によれば、上記効果に加え、フレネルレンズ全体をコンパクトにできる。
また、請求項１０記載の発明によれば、上記効果を得つつ、太陽光を集光して高エネルギー密度として利用することができる。
【図面の簡単な説明】
【０００９】
【図１】第一の実施形態に係るフレネルレンズの断面概略図である。
【図２】実施形態のソーラーシステム用フレネルレンズの効果について模式的に示した図である。
【図３】図１に実施形態のフレネルレンズにおけるケラレ低減の効果について示した図である。
【図４】第二の実施形態に係るフレネルレンズの断面概略図である。
【図５】第三の実施形態に係るフレネルレンズの断面概略図である。
【図６】第四の実施形態に係るフレネルレンズの断面概略図である。
【図７】第五の実施形態に係るフレネルレンズの断面概略図である。
【図８】実施形態のソーラーシステムの側面概略図である。
【発明を実施するための最良の形態】
【００１０】
次に、本願発明を実施するための最良の形態（以下、実施形態）について説明する。まず、ソーラーシステム用フレネルレンズの発明の実施形態について説明する。
図１は、本願発明の第一の実施形態に係るソーラーシステム用フレネルレンズの断面概略図である。図１に示すフレネルレンズは、多数のプリズム部１１、１２を、一つの面（以下、基準面）１０上に並べた構造を有する。各プリズム部１１、１２は、入射面２と、入射面２とは反対側に突出しているプリズム面とから成っている。尚、図１では、基準面１０の形状を上側に示し、一部のプリズム部１１，１２を抜粋して拡大して下側に示している。
【００１１】
本実施形態のフレネルレンズの大きな特徴点は、図１に示すように、基準面１０が光軸Ａに垂直な平面ではなく、光軸Ａに対して斜めの（非垂直の）面となっている点である。より具体的に説明すると、本実施形態のフレネルレンズは、基準面１０は半球面となっている。半球面とはいっても、厳密な意味の半球面ではなく、図１に示すように、全球面に対して１／３〜１／４程度の半球面となっている。
そして、本実施形態のフレネルレンズは、上記半球面状の基準面１０に沿って各プリズム部１１，１２が並べられており、各プリズム部１１，１２は階段状となっている。即ち、光軸Ａ上に位置するプリズム部１１は最も高い位置にあり、各プリズム部１１，１２は光軸Ａから遠ざかるに従って徐々に低い位置に位置している。各プリズム部１１，１２の境界部分には、段差が形成されている。
【００１２】
各プリズム面は、本実施形態では、断面がほぼ三角形状の部位を形成しており、第一の面３と第二の面４とから成っている。第一の面３は、入射面２から入射した光が最初に到達する面である。各プリズム部１１，１２において、第一の面３は光軸Ａから遠い側にあり、第二の面４は光軸Ａに近い位置にある。また、各プリズム部１１，１２は、円周状に延びた形状（即ち、円環状）であり、光軸Ａを中心として同心上に配置されている。
本実施形態では、各プリズム部１１，１２の入射面２は光軸Ａに対して垂直な平面となっている。したがって、各入射面２も階段状を成している。本実施形態のソーラーシステム用フレネルレンズは、光軸Ａが太陽光の入射方向に対して平行になるように配置される。したがって、各プリズム部１１，１２において、入射面２には太陽光が垂直に入射する。
【００１３】
プリズム面は、フレネルレンズ全体として一つのレンズ作用が得られる形状とされる。本実施形態では、太陽光を集光して利用することが想定されており、フレネルレンズ全体として集光レンズ作用が得られるよう各プリズム面が形成されている。各プリズム面の構成は幾つか考えられるが、本実施形態では、大きな受光エリアを形成しつつ短焦点のものにするため、屈折系と全反射系とを組み合わせ構成を採用している。
即ち、各プリズム部１１，１２は、光軸Ａに近い側に位置する第一の群のプリズム部１１と、光軸Ａから遠い側に位置する第二の群のプリズム部１２とから成っている。第一の群のプリズム部１１は、第一の面３での屈折を利用してレンズ作用を為させるのに対し、第二の群のプリズム部１２は、第一の面３での全反射を利用してレンズ作用を為させるものとなっている。図１において、第一の群と第二の群との境界線を、一点鎖線６で示す。
【００１４】
より具体的に説明すると、本実施形態のフレネルレンズは、前述したように全体として集光レンズ作用を為すものである。集光レンズには色々なものがあるが、本実施形態のフレネルレンズは、出射側が凸である平凸レンズと等価なものとなっており、平行な太陽光を一点に集光するものとなっている。
このうち、第一の群のプリズム部１１は、第一の面３が、平凸レンズの凸面に等価となっており、各第一の面３をつなげてくと平凸レンズの凸面に近似する面を形成するようになっている。一方、第二の群の各プリズム部１２では、第一の面３が全反射であって第二の面４が屈折面であり、これらの面により得られる作用が、第一の群の各プリズム部１１で得られる作用と合わせて、フレネルレンズ全体として平凸レンズの作用を為すよう構成されている。即ち、第二の群の各プリズム部１２は、第一の面３で全反射して第二の面４で屈折して出射した光が、第一の群の各プリズム部１１から出射した光と同じ位置（即ち、焦点）に集まるよう構成されている。
上記説明から解るように、第一の群の各プリズム部１１では第一の面３の角度は入射光が全反射しない角度に設定され、第二の群の各プリズム部１２では第一の面３の角度は入射光が全反射する角度に設定される。以下、各プリズム部１１，１２の材質がＰＭＭＡ樹脂である場合を例にし、上記の点をさらに具体的に説明する。
【００１５】
光がＰＭＭＡ樹脂の媒体内から外部（空気中）に出射する場合、臨界角は４２度程度であり、入射角が４２度を超えると全反射する。したがって、第一の群のプリズム部１１は、入射角が４２度を超えないようになっている。各プリズム部１１，１２において、光は入射面２に垂直に入射するので、第一の面３への光の入射角θｉは、第一の面３が入射面２と平行な面に対して成す角（立ち上がり角θｕ）に等しい。したがって、第一の群の各プリズム部１１は、立ち上がり角θｕが４２度を超えないようになっている。
第一の群のプリズム部１１は第一の面３での屈折により前記レンズ作用を為すから、最も中央の（光軸Ａ上の）プリズム部１１において第一の面３の立ち上がり角θｕは０度であり、光軸Ａから遠ざかるにしたがって、徐々に立ち上がり角θｕが大きくなっている。そして、４２度を超えない範囲で最も大きな立ち上がり角θｕのプリズム部１１が、第一の群において最外周に位置するものとなる。以下、このプリズム部１１を、第一群最外周部と呼ぶ。第一群最外周部１１における立ち上がり角θｕは、例えば３８度程度に設定される。
【００１６】
プリズム面から出射する光が入射面２と平行な面に対して成す角（以下、単に「出射角」と呼ぶ）θｅは、光軸Ａ上のプリズム部１１において最も大きい角度（９０度）となり、光軸Ａから遠ざかるに従って徐々に小さくなる。
第二の群の各プリズム部１２では、第二の面４から出射する光が第一の群の各プリズム部１１からの光と同じ位置（焦点）に結ぶことと、第一の面３の立ち上がり角θｕが臨界角より大きいことの二つを条件とする以外、本質的に制限はない。したがって、これら二つの条件を満たすよう第一第二の各面３，４を設計すればよい。
第二の群のプリズム部１２から出射する光の出射角θｅは、図１に示すように、最も光軸Ａに近い位置に位置するプリズム部（以下、第二群最内周部）１２において最も大きく、光軸Ａから遠ざかるに従って徐々に小さくなる。そして、第二群最内周部１２における出射角θｅは、第一群のプリズム部１１のうちの最も光軸から遠い位置のプリズム部１１における出射角θｅから僅かに小さいのみであり、出射角θｅの漸次減少がシームレスにつながるようになっている。
【００１７】
本実施形態では、前述した通り基準面１０が平面ではなく半球面になっており、光軸Ａから遠いプリズム部１１，１２ほど第一の面３や第二の面４が下に下がっている。各プリズム部１１，１２において、第一の面３や第二の面４は、上記のように各出射光が一点に集光するよう角度が設定され、且つ光軸から遠ざかるに従って徐々に下がった位置となっている。
本実施形態のソーラーシステム用フレネルレンズは、図１中不図示の保持枠に嵌め込んだ状態でソーラーシステムに搭載される。搭載されたフレネルレンズは、各入射面２が太陽光の入射側に位置するので、全体としては上側に凸の状態となる。後述するように、フレネルレンズは、姿勢制御装置によって太陽光に追従して姿勢を変える場合が多いが、この場合も、太陽に向かって斜め上側に凸の姿勢を維持する。
【００１８】
本実施形態のソーラーシステム用フレネルレンズによれば、光軸Ａに垂直な面に対して斜めに延びた基準面１０に沿って各プリズム部１１，１２が配置され、各プリズム部１１，１２が階段状を成しているので、大きな受光エリアのものであっても撓みの問題が少ない。特に、本実施形態では、基準面１０が上に凸の曲面であるので、撓み防止の効果が著しい。このような効果について、図２を使用して模式的に説明する。図２は、実施形態のソーラーシステム用フレネルレンズの効果について模式的に示した図である。
【００１９】
図２（１）には、従来の平板状のフレネルレンズの場合が示され、（２）には図１の実施形態の場合が示されている。図２（１）に点線で示すように、平板状のフレネルレンズの場合、大きな受光エリアとなるように大型化させていくと、自重により撓み易い。撓みにより必要な光学特性が得られなくなる問題の他、耐衝撃性や経時的な機械強度が低下して破損等の事故が生じ易くなる問題が発生する。これらの問題を解決するには、補強用のフレームでフレネルレンズを支えるようにすることが考えられるが、フレームの部分が光を遮ってしまうので、大きなロスが生じる。
一方、図２（２）に示すように、本実施形態のフレネルレンズでは、基準面１０が上に凸の曲面であり、フレネルレンズ全体としても断面形状が上に凸の曲板状であるので、大きな受光エリアを得るために大型化させても撓みの問題が少ない。このため、製品としての信頼性が高く、またロスの少ないフレネルレンズとなる。
【００２０】
このような本実施形態の効果は、程度の差こそあれ、基準面１０が上記のように上の凸の曲面で無い場合でも得られる。基準面１０が光軸Ａに対して垂直な面である従来のものと比較すると、基準面１０を光軸Ａに垂直な面に対して斜めに延びた面とすることで上記の効果が得られる。例えば、基準面１０が光軸Ａに垂直な面に対して斜めになっている平面でも良い。
曲面である場合、上記以外の構成としては、断面が半円弧状で一方向に延びている形状（樋状）が考えられる。この場合、太陽光は、フレネルレンズが延びる方向に沿って直線状に集光されることになる。
また、基準面１０が曲面である場合、上に凸になっている形状は撓み防止の点からより好適である。即ち、容易に理解できるように、基準面１０が上に凸であると、自重により撓もうとする力と形状自体からくる内部応力が相殺した状態となるので、より撓みが少なくなる。
【００２１】
尚、屈折系と全反射系とを組み合わせた構成を採用し、光軸Ａから遠い第二の群のプリズム部１１，１２を全反射系としている構成は、前述したように、大きな受光エリアを形成しつつもより短焦点のフレネルレンズが得られる効果がある。短焦点とすることは、ソーラーシステム全体をコンパクトにする意義がある。
また、本実施形態のフレネルレンズは、いわゆるケラレの問題を低減した効果もある。この点について、図３を使用して説明する。図３は、図１に実施形態のフレネルレンズにおけるケラレ低減の効果について示した図である。
【００２２】
上述したように、光軸Ａから遠い第二の群のプリズム部１２を全反射系とすると、より大きな受光エリアを形成しつつもより短焦点にできるメリットがあるが、ケラレの問題も生じやすくなる。ケラレとは、第二の群のプリズム部１２において、出射した光が、光軸Ａ側に隣接したプリズム部１２によって遮蔽される問題を指している。
図３（１）に示すように、基準面１０が光軸Ａに対して垂直な平面であり、この面に沿って各プリズム部１２が配置されていると、光軸Ａから遠い位置のプリズム部１２においてケラレの問題が生じ易くなる。即ち、フレネルレンズ全体の焦点距離を短くしようとすると、第二の群のプリズム部１２において、第二の面４から出射する光の出射角θｅは、光軸Ａから遠いプリズム部１２ほど小さくなる。出射角θｅが小さくなると、出射した一部の光が、光軸Ａ側に隣接した別のプリズム部１２の第一の面３に達してしまうことになり、第一の面３からこの別のプリズム部１２内に入射するか第一の面３で全反射する。いずれにしても、この光は焦点には達せずロスとなる。
【００２３】
一方、図３（２）に示すように、基準面１０が上に凸の曲面であり、光軸Ａから遠ざかるに従って各プリズム部１２の位置が徐々に下に下がっていると、ケラレの問題が防止できる。即ち、各プリズム部１２の位置が徐々に下に下がっているので、第二の面における光の出射位置も徐々に下の位置となる。このため、出射角θｅが小さくなってきても、出射した光が光軸Ａ側のプリズム部１２に達してしまうことが無くなる。このため、短焦点としつつも光の利用効率の高いフレネルレンズとなる。
【００２４】
次に、第二の実施形態のソーラーシステム用フレネルレンズについて説明する。図４は、第二の実施形態のソーラーシステム用フレネルレンズの断面概略図である。図４に示すフレネルレンズも、図１に示すフレネルレンズと同様、基準面（図４中不図示）が上に凸の半球面となっており、多数のプリズム部１１、１２が基準面に沿って並べられていて階段状を成している。
本実施形態のフレネルレンズが第一の実施形態と異なるのは、図４に示すように、各プリズム部１１，１２において入射面２が平面ではなく、曲面になっている点である。特に、本実施形態では、各入射面２は入射側に凸の曲面となっており、集光レンズ面となっている。即ち、各入射面２から入射する光が集光される構成となっている。
【００２５】
各入射面２は、図４に示すように断面が円弧状であり、最頂部は、光軸Ａ側の端部付近に設定されている。入射面２から入射した光は、図４に示すように集光されながら、第一の面３で屈折して出射する（第一の群）か、第一の面３で全反射した後に第二の面４で屈折しながら出射する（第二の群）かして、集光点に集光される。この実施形態では、集光レンズ面である各入射面２の焦点の位置が、フレネルレンズ全体の焦点の位置と同じ位置になるよう各入射面２の曲率が設定されている。
【００２６】
このように各入射面２を曲面とすることは、幾つかの顕著な効果がある。
まず第一に、第二の面４に対してドラフト角を付与することができる効果がある。ドラフト角とは、第二の面４が光軸Ａに対して成す角である。前述したように、ソーラーシステム用フレネルレンズは、一般的に、太陽光が光軸Ａに対して平行に入射する姿勢で配置される。この場合、第一の面３に最大限光を入射させるために、第二の面４を光軸Ａに対して平行にすることが多い。即ち、ドラフト角がゼロの設計である。
しかしながら、ドラフト角がゼロであると、フレネルレンズの製作の際の離型性が悪いという問題がある。多くのフレネルレンズは、熱間プレス成型や射出成型のような型を用いた形成方法によって製作される。この場合、成型後に製品を型から引き離す際、型を、光軸Ａとなる方向に沿って移動させる。この際、ドラフト角が無いと、即ち製品のある面が型の移動方向に沿っていると、その面で型が製品から離れにくくなり、製品の寸法精度が悪くなったり成型に時間がかかったりする問題がある。一方、ある程度のドラフト角が付与されていると（即ち、型の引き離し方向に対して製品の面が斜めになっていると）、離型性が良くなるので、上記のような問題はない。
【００２７】
ドラフト角の付与は、上記のように製造の際の離型性を向上させるメリットがあるが、その一方で、使用時に光のロスを生じさせる問題がある。即ち、入射面２から光が平行に入射する構成では、第二の面４にドラフト角が付与されていると、第二の面４寄りの位置から入射した光が第二の面４で全反射してしまう。この光は、第一の面３に達するものの、第一の面３には、設計とは異なる入射角で入射するため、第一の面３において設計通りの屈折又は全反射が生じず、ロスになる。
一方、本実施形態のように、入射面２を集光レンズ面にしておくと、光が少しずつ絞られながら第一の面３に達するので、図４に示すように第二の面４にドラフト角θｄを付与しても、光が第二の面４に達しないようにすることができ、第一の面３において期待された屈折又は全反射が全ての光に対して生じるようにすることができる。このため、ロスは無くなる。
【００２８】
入射面２を集光レンズ面とすることのさらに別のメリットは、プリズム部１１，１２の頂角を鈍化させることができる点である。図３（１）から解るように、入射面２が平坦面である場合、光を最大限に利用しようとすると、第一の面３において、第二の面４との交点（頂角）の位置まで最大に利用する必要がある。即ち、原理的には、入射面２から入射して第二の面４に沿って進む光まで第一の面３に到達させる必要がある。言い換えると、第一の面３と第二の面４とが交差した部分、第一の面３と第二の面４とが成す角のまま鋭利なものとしておく必要がある。
【００２９】
しかしながら、鋭利な頂角のプリズム部１１，１２は、幾つかの問題がある。一つは、製造上の問題である。鋭利な頂角のプリズム部１１，１２は、それに合わせて鋭利な凹部を有する型によって成型する必要があり、鋭利な凹部の型は、鋭利なバイトで切削して製作することになる。しかしながら、鋭利なバイトは耐久性が低く、一つの型を製作するのに多くのバイトを消耗してしまい、型の製作コストが高くなってしま問題がある。また、鋭利なバイトをして鋭利な凹部を得ても、型の寸法精度はそれほど高くすることができず、成型したプリズム部１１，１２の頂角は、僅かではあるが丸みを帯びて鈍化し易い。この点は、熱間プレス成型等に比べて量産性に優れた射出成型の場合に顕著である。頂角が丸みを帯びて鈍化してしまった場合、その部分では必要な特性は得られなくなり、光の損失が大きくなってしまう。
さらに、製造後の製品上の問題として、プリズム部１１，１２の頂角が鋭利である場合、運搬時や使用時等のちょっとした弾みで頂部が欠け易うという問題がある。頂角が欠けてしまうと、上記説明から解る通り、即それは性能低下につながる。即ち、製品としての耐久性や信頼性の点で問題となる。このように、入射面２を平坦面とする構造は、製造コストが高くなり易く、また製品としての耐久性や信頼性の点でも問題がある。
【００３０】
一方、図４に示すように、入射面２を集光レンズ面にして光を絞るようにすると、第一の面３は隅まで使用する必要がない。第一の面３のうちの中央部分でのみ屈折作用又は全反射作用があれば良い。このため、図４に示すように、頂角を鈍化させても何ら問題はない。したがって、型の製作に鋭利なバイトを使用する必要はなく、頂角が丸みを帯び易い射出成型法により製造したとしても、性能上の問題は生じない。そして、頂角を鈍化させておけば、欠ける恐れも少なくなるので、製品の耐久性や信頼性も高い。
【００３１】
また、各入射面２を曲面とする構成は、汚れ防止という別の効果も有する。即ち、ソーラーシステム用フレネルレンズでは、入射面２は外気に直接晒される構成とすることが多い。入射面２のさらに入射側に透光性のカバーを設けても良いが、カバーは太陽光の透過率が１００％という訳にはいかず、カバーの部分でロスが生じる。ロスを無くすには、太陽光をそのままフレネルレンズに入射させるべきであり、そのため、フレネルレンズの入射面２は直接外気に晒された状態となる。
この場合に問題なのは、雨ジミのような外気による汚れである。雨ジミのような汚れが入射面２に付着すると、その部分で光が入射せずにロスになる。入射面２が平面であり、水平であると、どうしても雨水が溜まり易く、雨ジミが生じ易くなる。
【００３２】
一方、第二の実施形態のように各入射面２が曲面であると、雨水が流れ易くなる。このため、雨ジミのような汚れが付着しにくく、よりロスの少ないフレネルレンズとなる。加えて、第二の実施形態では、各入射面２は一方の側（ここでは光軸Ａから遠い側）に徐々に低くなる斜面となっていると、雨水がより流れ易くなっている。このため、雨ジミのような汚れがより付着しにくくなっている。また、上記汚れ付着防止の効果は、各入射面２が曲面でなく平面であっても、一方の側に徐々に低くなっている斜面であれば同様に得られる。
【００３３】
次に、第三の実施形態のソーラーシステム用フレネルレンズについて説明する。図５は、第三の実施形態のソーラーシステム用フレネルレンズの断面概略図である。図５に示すフレネルレンズも、基準面（図５中不図示）が上に凸の半球面となっており、多数のプリズム部１１、１２が基準面に沿って並べられていて階段状を成している。そして、各入射面２が集光レンズ面となっている。
この第三の実施形態のフレネルレンズが上記各実施形態と異なるのは、各入射面２で集光された光を平行光に戻すコリメータ部３１が設けられている点である。第三の実施形態では、コリメータ部３１は、各第一の面３に設けられている。即ち、第一の群のプリズム部１１，１２では、第一の面３には、屈折によりコリメート作用を為すコリメータ部３１が設けられており、この部分はコリメータレンズの構成となっている。また、第二の群のプリズム部１１，１２では、第一の面３に全反射によりコリメート作用を為すコリメータ部３１が設けられており、この部分はコリメータミラーの構成となっている。
【００３４】
第三の実施形態でも、全体としては、第一の面３での屈折又は全反射を利用して所定のレンズ作用が生ずるようになっている。そして、入射面２が集光レンズ面であるため、少しずつ絞られた光が第一の面３に達するようになっている。この際、第一の面３にコリメータ部３１が形成されているため、第一の面３に達した光は、屈折又は全反射の際に平行光となる。このため、各プリズム部１１，１２から平行光が出射し、フレネルレンズ全体の集光点に達する。
このように各プリズム部１１，１２内で光を平行光に戻すようにすると、集光レンズ面である入射面２の曲率は、フレネルレンズ全体の焦点（集光位置）に依存せずに決めることができる。コリメータ部３１が無いと、各入射面２の曲率をフレネルレンズ全体の焦点距離に応じて定める必要がある。この場合、あまり光を絞ることはできないため、第二の面４に対して大きなドラフト角を付与することができない。一方、この実施形態のようにコリメータ部３１を設けておくと、フレネルレンズ全体の焦点に依存せずに曲率を決められるので、光を大きく絞るようにして大きなドラフト角を第二の面４に付与することができる。
また、光をより大きく絞ることができるということは、各第一の面３において屈折作用又は全反射作用をさせる部分をより小さくできることを意味する。したがって、各プリズム部１１，１２の頂角はさらに大きな領域で鈍化させることができ、前述した効果がさらに高く得られる。
【００３５】
尚、第三の実施形態において、第二の群のプリズム部１２については、コリメータ部を第二の面４に設けることもできる。この場合、太陽光は入射面２により集光されながら第一の面３で全反射し、第二の面４に達して第二の面４で屈折して平行光になった状態で出射することになる。
また、図５に示す例では、各コリメータ部３１は各入射面２による光の集光位置の手前側に位置していたが、後ろ側に位置していても良い。即ち、各入射面２により一旦一点に集光された後に広がる光を平行光に戻すようにしても良い。いずれにしても、コリメータ部は、各入射面による焦点の位置の前後近傍に配置することが望ましい。コリメータ部を小さくすることができるからである。
【００３６】
次に、本願発明の第四の実施形態のソーラーシステム用フレネルレンズについて説明する。図６は、第四の実施形態のソーラーシステム用フレネルレンズの断面概略図である。
図６に示すフレネルレンズも、基準面（図６中不図示）が上に凸の半球面となっており、多数のプリズム部１１、１２が基準面に沿って並べられていて階段状を成している。
この第四の実施形態のフレネルレンズも、同様に撓み防止等の効果を有するが、加えて、第二の面４へのドラフト角付与や頂角の鈍化を別の構成により可能とした効果を有している。即ち、この第四の実施形態では、各入射面２は、平面ではあるものの、光軸Ａに垂直な平面に対して斜めの面となっている。この斜めの平面である入射面２は、入射太陽光を光軸Ａから遠ざかる向きに少し屈折させており、これによって、ドラフト角付与や頂角鈍化を可能とさせている。
【００３７】
図６に示すように、各プリズム部１１，１２において、入射面２は、光軸Ａに近い側が低く、光軸Ａから遠い側が高い斜めの面となっている。このため、各入射面２に入射した太陽光は、各入射面２で屈折して光軸Ａから遠ざかる向きに進む。このため、図６に示すように、各第二の面４に対してドラフト角を付与することができている。また、頂角についても鈍化させることができている。
尚、各入射面２において光軸Ａから遠い側の端部付近から入射した太陽光は、さらに遠い側に向けて屈折するため、外側に隣接したプリズム部１１，１２に進入することになる。この光は、図６に示すように、隣接したプリズム部１１，１２の第一の面３に達して屈折又は全反射をするので、実質的にはロスになる光ではない。
【００３８】
各入射面２が光軸Ａに垂直な面に対して成す角（以下、傾角と呼び、図６にθｔで示す）は、すべてのプリズム部１１，１２において同じ角度となっている。但し、傾角θｔを異なる角としてもよく、例えば、傾角θｔを光軸Ａから遠ざかるに従って徐々に大きくしても良い。この場合は、入射面２は、全体として凹レンズ面に近似した面を成すことになる。
尚、本願発明の範囲に含まれるものではないが、基準面が光軸Ａに対して垂直な平面であるフレネルレンズにおいて上記のように各入射面２を光軸Ａに対して斜めの形状にしても良い。この場合も、第二の面４にドラフト角を付与したり頂角を鈍化させたりすることができるようになる効果が同様に得られる。
【００３９】
次に、本願発明の第五の実施形態のソーラーシステム用フレネルレンズについて説明する。図７は、第五の実施形態のソーラーシステム用フレネルレンズの断面概略図である。
図７に示すフレネルレンズも、多数のプリズム部１１、１２が基準面（図７中不図示）に沿って並べられていて階段状を成している。この第五の実施形態のフレネルレンズも、同様に撓み防止等の効果を有するが、加えて、光軸Ａから遠い側のプリズム部のピッチ幅を、光軸Ａに近い側のプリズム部のピッチ幅に比べて短くしている。本実施形態では、第二の群のプリズム部１２のピッチ幅を第一の群のプリズム部１１に比べて短くしている。ピッチ幅は、各プリズム部１１，１２が並んだ方向における各プリズム部１１，１２の幅のことである（図７にｐで示す）。
【００４０】
ピッチ幅ｐを短くすると、第一の面３及び第二の面４から成る凸面（プリズム面）の高さがその分だけ低くなる。このため、フレネルレンズ全体を厚さをより薄くすることができる。このため、フレネルレンズ全体をコンパクトにできる。特に、各プリズム部１１，１２を階段状に並べていった場合、フレネルレンズ全体の高さ（光軸方向の全体の幅）はどうしても高くなってしまう。上記のように光軸から遠い側のプリズム部１２においてピッチ幅ｐを狭くすると、プリズム面の高さが低くなるので、光軸Ａから遠くなっても、プリズム面の突出高さはそれほど高くはならず、フレネルレンズ全体の高さを低くするのに貢献することになる。
この実施形態では、単純に第二のプリズム部１２においてピッチ幅を第一のプリズム部１１の半分としたが、他の構成であっても全体のコンパクト化には貢献できる。例えば、第一の群及び第二の群のプリズム部１１，１２を通して、より光軸Ａから遠ざかるに従ってピッチ幅ｐが漸減する構造であっても良い。
【００４１】
上述した各実施形態のソーラーシステム用フレネルレンズについて、具体的な寸法例を示すと、フレネルレンズ全体としては１００〜３００ｍｍ角の正方形の板状で、全体としては焦点距離１００〜２００ｍｍ程度の集光レンズを成す場合、一つのプリズム部１１，１２の幅（ピッチ幅）は、０．１〜１．０ｍｍ程度である。この場合、光軸Ａから半径５０〜１５０ｍｍ程度までの領域については第一のプリズム部１１が形成され、それよりも遠い領域には第二のプリズム部１２が形成される。尚、第五の実施形態の場合、第二のプリズム部１２のピッチ幅は上記の半分となる。
そして、基準面１０は、曲率半径が１２０〜６００ｍｍ程度の半球状とされ、円弧の角度（図１のθｃ）は７０〜１７０度程度、より好ましくは７０〜１５０度程度とされる。
このような寸法例において、例えば第二の実施形態の構造を採用する場合、各プリズム部１１，１２の各入射面２は、曲率半径が０．２〜１．０ｍｍ程度の凸レンズの構成とされる。
尚、基準面１０が半球面状である場合、第一の実施形態では全球に対して１／３〜１／４程度の半球面であるとしたが、厳密な意味の半球面（１／２球面）であっても良く、厳密な意味の半球面と中心角が同じか又はそれより小さい角度であれば良い。
【００４２】
次に、ソーラーシステムの発明の実施形態について説明する。
図８は、実施形態のソーラーシステムの側面概略図である。図８に示すソーラーシステムは、フレネルレンズ１００と、フレネルレンズ１００を保持する保持枠７１と、フレネルレンズ１００の姿勢を制御する姿勢制御装置７２とを備えている。
保持枠７１は、フレネルレンズ１００を周縁で支えて保持している。姿勢制御装置７２は、フレネルレンズ１００の各入射面２が太陽光の入射方向に対して常に垂直になるようにするものである。姿勢制御装置７２は、太陽光の高度の変化に追従してフレネルレンズ１００の傾斜角度を制御する高度追従制御機構７２１と、太陽の経度の変化に追従してフレネルレンズ１００の水平方向の向きを制御する経度追従制御機構７２２とを含んでいる。
【００４３】
フレネルレンズ１００は、前述したように全体として集光レンズの作用を為すものであり、集光点に太陽光が集光されるようになっている。集光点には、例えば温度計や照度計のような計測機が配置されたり、熱融解等を行うために試料を配置する試料容器が配置されたり、あるいは太陽電池（ソーラーセル）が配置されたする。このような計測機等の配置のために集光点には集光点台座７３が設けられている。フレネルレンズ１００の姿勢制御に伴い集光点も移動するが、集光点台座７３には台座姿勢制御装置７４が設けられており、フレネルレンズ１００の姿勢制御に追従して集光点台座７３を移動させ、常に集光点に位置するようになっている。
【産業上の利用可能性】
【００４４】
以上説明したように、本願発明のフレネルレンズは、太陽光を大きなエリアで受光するシステムに好適に利用することができる。
【符号の説明】
【００４５】
１０  基準面
１１  第一の群のプリズム部
１２  第二の群のプリズム部
２  入射面
３  第一の面
３１  コリメータ部
４  第二の面
【図１】
2010282032.tif 000003
【図２】
2010282032.tif 000004
【図３】
2010282032.tif 000005
【図４】
2010282032.tif 000006
【図５】
2010282032.tif 000007
【図６】
2010282032.tif 000008
【図７】
2010282032.tif 000009
【図８】
2010282032.tif 000010